(57)【要約】【課題】電線を接続端子の挿入筒部へ挿入する際における挿入口の径を大径化して電線挿入作業の容易化を図るとともに、挿入後の電線を挿入筒部の挿入口とは反対側からの締め付けにより保持することができる接続端子及びワイヤーハーネスを提供すること。【解決手段】接続対象に電気接続される接続部１３と電線１を挿入可能な挿入筒部１４とを有する接続端子１０であって、挿入筒部１４は、一端側の開口端側部分１５に電線１の挿入口１５ａが形成されるとともに拡縮径可能な形状とされ、他端側の閉止端側部分１６から開口端側部分１５を圧接して縮径させることで開口端側部分１５で電線１を保持させるナット１２が設けられている。【選択図】図３
2015156285.tif 000002
【特許請求の範囲】
【請求項１】
接続対象に電気接続される接続部と電線を挿入可能な挿入筒部とを有する接続端子であって、
前記挿入筒部は、前記電線の挿入口が形成される一端側の開口端側部分が拡縮径可能な形状をなすとともに、
前記挿入筒部の他端側の閉止端側部分から前記開口端側部分を圧接して縮径させることで前記開口端側部分で前記電線を保持させる締付部材が設けられていることを特徴とする接続端子。
【請求項２】
前記挿入筒部は、前記開口端側部分の内周面に前記挿入口の周方向に互いに隣り合う複数の舌状突片を有しており、
前記締付部材は、前記複数の舌状突片に対して前記閉止端側部分から前記開口端側部分を圧接して縮径させるように前記開口端側部分を締め付け可能な略環状をなすことを特徴とする接続端子。
【請求項３】
前記挿入筒部は、前記開口端側部分が前記挿入口を有する筒状をなすとともに前記閉止端側部分が前記接続部に一体に結合されており、
前記締付部材は、前記複数の舌状突片に対し前記閉止端側部分に位置するよう前記挿入筒部及び前記接続部によって抜け止めされ、かつ、前記閉止端側部分から前記開口端側部分への軸線方向に沿う移動及び該軸線回りの回動が可能な状態で前記挿入筒部に支持されていることを特徴とする請求項２に記載の接続端子。
【請求項４】
前記開口端側部分の内周面と外周面とが前記挿入筒部の中心軸線に対して互いに異なる角度を有しており、軸線方向の一部分が他部分よりも肉厚に形成されていることを特徴とする請求項１乃至請求項３の何れか１の請求項に記載の接続端子。
【請求項５】
前記締付部材がナットであり、
前記開口端側部分の外周面に前記ナットと螺合するネジ溝が形成され、
前記閉止端側部分は、少なくとも前記開口端側部分と連続する部分の幅が前記ナットのネジ溝を含む最小内径よりも幅狭であることを特徴とする請求項３又は請求項４に記載の接続端子。
【請求項６】
請求項１乃至請求項５の何れか１の請求項に記載の接続端子と、
素線の集合体からなる導体の先端部分を露出させた状態で絶縁樹脂からなる外被によって被覆された１本以上の電線と、を備えることを特徴とするワイヤーハーネス。
【発明の詳細な説明】
【技術分野】
【０００１】
本発明は、電線を挿入保持する接続端子及びワイヤーハーネスに関する。
【背景技術】
【０００２】
従来から、一端側に電気接続部を有し、他端側に電線の導体を挿入して圧着させる挿入筒部を有するアース端子等の接続端子が知られている（例えば、特許文献１参照）。
【０００３】
この接続端子は、電線の導体を挿入する際に電線の導体同士を予め密着させた状態で挿入する必要があり、圧着可能な電線本数が制約されていた。
【０００４】
そこで、電線挿入作業の容易化を目的として、アース端子の挿入筒部の開口端付近にスリットを設け、挿入筒部の開口端を比較的大径なものとしたものが知られている（例えば、特許文献２，３参照）。
【０００５】
このような構成とすれば、開口端から挿入筒部に導体を挿入した後に、ナットにより挿入筒部の開口端側を締め付けて小径化することで導体をアース端子に装着することができる。
【０００６】
図８は、このような接続端子の一例を示す。接続端子４０は、一端が接続対象に導通接続されるとともに、他端に電線４１の芯線部４２が挿入される電線接続部４３を有し、この電線接続部４３の開口端から電線４２の挿入方向に向かって複数のスリット部４３ａが形成され、電線接続部４３の外周に開口端方向に向かって漸次先細るテーパ状の雄ねじ部４３ｂが形成され、この雄ねじ部４３ｂにテーパ状の雌ねじ孔が形成されたナット４４が螺着される。
【先行技術文献】
【特許文献】
【０００７】
【特許文献１】特開平１０−２３３２４１号公報
【特許文献２】特開２００３−１６８５０２号公報
【特許文献３】実全平４−０６１８６３号公報
【発明の概要】
【発明が解決しようとする課題】
【０００８】
しかしながら、このような従来の接続端子にあっては、導体を挿入するための挿入筒部の開口端の内径は、ナットを挿入筒部の開口端側から挿入して締め付ける作業が必要となっていた。しかも、そのナット締め付け作業を容易に行うためには、ナットの内径よりも極端に大きく挿入筒部の外径を設定することができなかった。
【０００９】
これにより、導体を挿入するための挿入筒部の開口端の内径は、さほど大径化することができない。そのうえ、挿入筒部に電線の導体を挿入するよりも先に、導体を予めナットに挿入する必要があるため、結果的にナットの内径と開口端の内径とは挿入筒部の肉厚分程度の差しかなく、導体の挿入作業を容易に行い得るとは言い難く、依然として作業性は良くないという問題が生じていた。
【００１０】
本発明は、上述のような課題を解決するためになされたもので、電線を接続端子の挿入筒部へ挿入する際における挿入口の径を大径化して電線挿入作業の容易化を図るとともに、挿入後の電線を挿入筒部の挿入口とは反対側からの締め付けにより保持することができる接続端子を提供することを目的とする。
【課題を解決するための手段】
【００１１】
本発明に係る接続端子は、上記目的達成のため、接続対象に電気接続される接続部と電線を挿入可能な挿入筒部とを有する接続端子であって、前記挿入筒部は、前記電線の挿入口が形成される一端側の開口端側部分が拡縮径可能な形状をなすとともに、前記挿入筒部の他端側の閉止端側部分から前記開口端側部分を圧接して縮径させることで前記開口端側部分で前記電線を保持させる締付部材が設けられている構成である。
【００１２】
この構成により、本発明に係る接続端子は、電線を接続端子の挿入筒部へ挿入する際における挿入口の径を大径化して電線挿入作業の容易化を図るとともに、挿入後の電線を挿入筒部の挿入口とは反対側からの締め付けにより保持することができる。
【００１３】
また、上記構成の接続端子は、前記挿入筒部は、前記開口端側部分の内周面に前記挿入口の周方向に互いに隣り合う複数の舌状突片を有しており、前記締付部材は、前記複数の舌状突片に対して前記閉止端側部分から前記開口端側部分を圧接して縮径させるように前記開口端側部分を締め付け可能な略環状をなす構成としてもよい。
【００１４】
なお、上記構成の接続端子において、前記挿入筒部は、前記開口端側部分が前記挿入口を有する筒状をなすとともに前記閉止端側部分が前記接続部に一体に結合されており、前記締付部材は、前記複数の舌状突片に対し前記閉止端側部分に位置するよう前記挿入筒部及び前記接続部によって抜け止めされ、かつ、前記閉止端側部分から前記開口端側部分への軸線方向に沿う移動及び該軸線回りの回動が可能な状態で前記挿入筒部に支持されている構成としてもよい。
【００１５】
さらに、上記構成の接続端子において、前記開口端側部分の内周面と外周面とが前記挿入筒部の中心軸線に対して互いに異なる角度を有しており、軸線方向の一部分が他部分よりも肉厚に形成されている構成とするのが好ましい。
【００１６】
さらに、上記構成の接続端子において、前記締付部材がナットであり、前記開口端側部分の外周面に前記ナットと螺合するネジ溝が形成され、前記閉止端側部分は、少なくとも前記開口端側部分と連続する部分の幅が前記ナットのネジ溝を含む最小内径よりも幅狭である構成とするのが好ましい。
【００１７】
なお、このような接続端子は、素線の集合体からなる導体の先端部分を露出させた状態で絶縁樹脂からなる外被によって被覆された１本以上の電線を備えるワイヤーハーネスに適用可能である。
【発明の効果】
【００１８】
本発明によれば、電線を接続端子の挿入筒部へ挿入する際における挿入口の径を大径化して電線挿入作業の容易化を図るとともに、挿入後の電線を挿入筒部の挿入口とは反対側からの締め付けにより保持することができる。
【図面の簡単な説明】
【００１９】
【図１】本発明の実施の形態１に係る接続端子の斜視図である。
【図２】本発明の実施の形態１に係る接続端子における要部の断面図である。
【図３】本発明の実施の形態１に係る接続端子における挿入筒部に導体を挿入した状態の接続端子の斜視図である。
【図４】本発明の実施の形態１に係る接続端子を示し、（Ａ）は挿入筒部に導体を挿入した状態の要部の断面図、（Ｂ）は挿入端子で導体を圧接して挿入保持した状態の要部の断面図である。
【図５】本発明の実施の形態１に係る接続端子における挿入端子で導体を圧接して挿入保持した状態の接続端子の斜視図である。
【図６】本発明の実施の形態２に係る接続端子を示し、（Ａ）は挿入筒部に導体を挿入した状態の要部の断面図、（Ｂ）は挿入端子で導体を圧接して挿入保持した状態の要部の断面図である。
【図７】本発明の実施の形態３に係る接続端子の斜視図である。
【図８】従来の接続端子の分解斜視図である。
【発明を実施するための形態】
【００２０】
次に、本発明に係る接続端子をワイヤーハーネスに適用し、各実施の形態について図面を参照して説明する。
【００２１】
（実施の形態１）
図１〜図６に示すように、接続端子１０は、アルミニウム、アルミニウム合金、銅、銅合金等の導電性金属材料から形成された端子本体１１と、締付部材としてのナット１２と、を備えている。
【００２２】
端子本体１１は、一端側に図示しない接続対象と電気的に接続される接続部１３と、他端側に電線１の導体２を保持する挿入筒部１４と、を結合した一体品となっている。
【００２３】
接続部１３は、挿入筒部１４から離れるほどに扁平化されており、その端部には、Ｏリング状（Ｃリング状等でもよい）の端子部１３ａが一体に形成されている。なお、端子部１３ａの外径はナット１２の内径以上とされ、接続部１３側におけるナット１２の抜け止めとなっている。
【００２４】
挿入筒部１４は、一端側の開口端側部分１５に電線１の挿入口１５ａが形成されるとともに拡縮径可能な形状とされ、他端側の閉止端側部分１６から開口端側部分１５を圧接して縮径させることで開口端側部分１５で電線１を保持するようになっている。
【００２５】
開口端側部分１５は、挿入口１５ａを有する筒状をなすとともに閉止端側部分１６と一体に結合されており、少なくとも開口端側部分１５から閉止端側部分１６に連続する部分が同軸上に位置している。また、開口端側部分１５には、挿入筒部１４の軸線方向に沿う一対のスリット１５ｂが形成されている。また、開口端側部分１５には、その内周面に挿入口１５ａの周方向に互いに隣り合う複数の舌状突片１５ｃが一体に形成されている。さらに、開口端側部分１５には、その外周面にナット１２と螺合可能な雄ねじ１５ｄが形成されている。
【００２６】
スリット１５ｂは、開口端側部分１５の略全長（軸線方向に沿う方向）にわたって形成されていて、これにより開口端側部分１５の拡縮を許容するようになっている。また、開口端側部分１５は、挿入口１５ａの開口端側が最大径となるように拡開状に拡径するようになっている。
【００２７】
舌状突片１５ｃは、図２に示すように、開口端側部分１５が拡径状態にあるときを基準として開口端側部分１５の内周面と外周面とが中心軸線に対して互いに異なるテーパ角度θ１，θ２を有しており、内周面側のテーパ角度θ１を外周面側のテーパ角度θ２を軸線に対して鋭角（θ１＜θ２）としている。これにより、舌状突片１５ｃは、軸線方向の一部分が他部分よりも肉厚となっている。なお、本実施の形態においては、挿入口１５ａの開口端に向かうほど内周面側が厚肉となるように構成しているが、開口端側部分１５を径縮状態としたときに内周面側に向かって突出する状態であれば、その位置や数は特に限定されるものではない。
【００２８】
閉止端側部分１６は、軸線方向に沿って中空又はその途中まで中実の軸状部材である。閉止端側部分１６は、開口端側部分１５から接続部１３に向かう軸線方向に沿う所定範囲の長さ、例えば、少なくともナット１２の厚さ以上の範囲の長さを有している。これにより、閉止端側部分１６は、開口端側部分１５が拡径状態である通常時、すなわち、電線１を保持していない状態のときに、その範囲においてナット１２が位置する。
【００２９】
ナット１２は、複数の舌状突片１５ｃに対して閉止端側部分１６から開口端側部分１５へと移動させ、雄ねじ１５ｄと螺合させつつ開口端側に軸線方向に沿って移動させることで開口端側部分１５を徐々に締め付けて径縮させるようになっている。また、ナット１２は、本実施の形態では、電線１を開口端側部分１５で保持する前の状態、すなわち、開口端側部分１５が拡径状態にあるときに、閉止端側部分１６に位置しており、拡径状態の開口端側部分１５及び接続部１３によって抜け止めされている。この際、図４に示すように、閉止端側部分１６の直径Ｄ１は、開口端側部分１５の直径Ｄ２よりも小径であり、かつナット１２のネジ溝を含む最小内径Ｄ３よりも小径となっている。
【００３０】
これにより、ナット１２は、閉止端側部分１６から開口端側部分１５への軸線方向に沿う移動及び軸線回りの回動が可能な状態で挿入筒部１４に支持されている。
【００３１】
電線１は、アルミニウム素線若しくはアルミニウム合金素線又はこれらと他の金属材料から形成された素線の集合体からなる導体２の先端部分を露出させた状態で絶縁樹脂からなる外被３によって被覆されている。なお、この電線１を複数本束ねた状態で少なくとも導体２が露出するように絶縁樹脂からなる外被で覆った電線群として用いることもできる。
【００３２】
また、電線１は、例えば、一端側の接続端子１０が接続対象としての車両用制御回路（制御基板）に接続され、他端側が、例えばパワーウインドウ用モータなどの被制御機器に接続されるもので、接続端子１０と電線１又は複数の電線１を束ねた電線群とで車両用のワイヤーハーネスを構成する。
【００３３】
上記の構成において、接続端子１０は、例えば、開口端側部分１５を縮径状態としてナット１２を挿通し、閉止端側部分１６にナット１２を位置させるとともに、開口端側部分１５を拡径状態としている。なお、この状態、すなわち、図１に示した状態を工場出荷状態とすることができる。
【００３４】
次に、接続端子１０に電線１を保持させるには、図３及び図４（Ａ）に示すように、電線１の導体２を挿入口１５ａの開口端側から挿入し、ナット１２を閉止端側部分１６から軸線方向に沿って移動させる。
【００３５】
そして、図４（Ｂ）及び図５に示すように、雄ねじ１５ｄにナット１２を螺合させつつ開口端側に移動させ、開口端側部分１５を縮径状態とすると、舌状突片１５ｃが導体２を圧縮した状態となる。
【００３６】
これにより、接続端子１０により電線１を保持することができる。なお、この状態、すなわち、図５に示した状態を工場出荷状態としてもよい。
【００３７】
このように、本実施の形態１においては、先にナット１２を挿入筒部１４に挿通するとともに電線１の挿入側とは逆の位置である閉止端側部分１６にナット１２を位置させることができる。
【００３８】
これにより、開口端側部分１５を拡径しておけば、電線１の導体２を容易に挿入口１５ａに相通することができるばかりでなく、ナット１２に電線１を挿通させる作業を電線１の保持作業の前に行う必要がなくなる。
【００３９】
以上のように、接続端子１０は、接続対象に電気接続される接続部１３と電線１を挿入可能な挿入筒部１４とを有する接続端子１０であって、挿入筒部１４は、一端側の開口端側部分１５に電線１の挿入口１５ａが形成されるとともに拡縮径可能な形状とされ、他端側の閉止端側部分１６から開口端側部分１５を圧接して縮径させることで開口端側部分１５で電線１を保持させるナット１２が設けられていることにより、電線１を接続端子１０の挿入筒部１４へ挿入する際における挿入口１５ａの径を大径化して電線挿入作業の容易化を図るとともに、挿入後の電線１を挿入筒部１４の挿入口１５ａとは反対側からの締め付けにより保持することができる。
【００４０】
（実施の形態２）
図６は、実施の形態２に係る接続端子を示しており、実施の形態１と同様の構成には同一の符号を付してその詳細な説明を省略し、特に実施の形態１と相違する構成を中心に説明する。本実施の形態２に係る接続端子１０は、挿入口１５ａの底部、すなわち、導体２の挿入深さを、スリット１５ｂの軸線方向に沿う長さと略同一としたものである。
【００４１】
これにより、電線１の導体２を挿入口１５ａに挿通する際の位置決めを容易に行うことができるばかりでなく、閉止端側部分１６の略全体を中実の軸部材とすることができ、強度を確保することができる。なお、電線１の保持作業等に関しては実施の形態１と略同一である。
【００４２】
（実施の形態３）
図７は、実施の形態３に係る接続端子を示しており、実施の形態１と同様の構成には同一の符号を付してその詳細な説明を省略し、特に実施の形態１と相違する構成を中心に説明する。
【００４３】
本実施の形態に係る接続端子１０は、接続部２３の全体、特に端子部２３ａの幅Ｗをナット１２の内径以下の幅狭とし、ナット１２を接続部２３側から挿入することを可能としたものである。これにより、電線１の導体２における挿入口１５ａへの挿通作業の容易化を確保したまま、ナット１２を電線１の挿入側とは逆側から容易に挿通することができる。
【００４４】
なお、上記各実施の形態では、締結部材としてナット１２を用いたが、ナット１２以外の締結部材、例えば、係止爪や金属製タイバンドなど、締結時に略環状であれば特に限定されるものではない。
【００４５】
このように、本発明の接続端子１０にあっては、接続対象に電気接続される接続部１３と電線１を挿入可能な挿入筒部１４とを有する接続端子１０であって、挿入筒部１４は、一端側の開口端側部分１５に電線１の挿入口１５ａが形成されるとともに拡縮径可能な形状とされ、他端側の閉止端側部分１６から開口端側部分１５を圧接して縮径させることで開口端側部分１５で電線１を保持させるナット１２が設けられていることにより、電線１を接続端子１０の挿入筒部１４へ挿入する際における挿入口１５ａの径を大径化して電線挿入作業の容易化を図るとともに、挿入後の電線１を挿入筒部１４の挿入口１５ａとは反対側からの締め付けにより保持することができる。
【００４６】
なお、本発明の接続端子は、電線を接続端子の挿入筒部へ挿入する際における挿入口の径を大径化して電線挿入作業の容易化を図るとともに、挿入後の電線を挿入筒部の挿入口とは反対側からの締め付けにより保持することができるという効果を有し、接続端子及びワイヤーハーネスの全般に適用することができる。
【符号の説明】
【００４７】
１  電線
２  導体
１０  接続端子
１２  ナット
１３  接続部
１４  挿入筒部
１５  開口端側部分
１５ａ  挿入口
１５ｂ  スリット
１５ｃ  舌状突片
１５ｄ  雄ねじ
１６  閉止端側部分
【図１】
2015156285.tif 000003
【図２】
2015156285.tif 000004
【図３】
2015156285.tif 000005
【図４】
2015156285.tif 000006
【図５】
2015156285.tif 000007
【図６】
2015156285.tif 000008
【図７】
2015156285.tif 000009
【図８】
2015156285.tif 000010